(57)【要約】【課題】奥行き感のある気泡を表現して演出効果を高める液体入り容器を模した装飾体およびそれを備えた遊技機を提供する。【解決手段】表面に複数の光源４１を配置した光源基板３９と、光源基板３９の表面に対向する裏面に光源４１に向けて突出する凸部３７ｃを有し、当該凸部３７ｃから導入された光源４１の光により表面を面発光させることが可能な導光板３７と、端面が導光板３７を介して光源４１に対向するように、表面側へ凸状に湾曲する湾曲面の裏面に気泡を模した多数の凹部３５ａを形成し、端面から導入された光源４１の光により凹部３５ａを部分発光させることが可能な液体を模した透光性レンズ３５と、透光性レンズ３５の湾曲面に対向し透光性レンズ３５及び導光板３７を覆うように配置され、液体入り容器を模した透明カバー３２とを備える。【選択図】  図６
2014217435.tif 000002
【特許請求の範囲】
【請求項１】
表面に複数の光源を配置した光源基板と、
前記光源基板の表面に対向する裏面に前記光源に向けて突出する凸部を有し、当該凸部から導入された前記光源の光により表面を面発光させることが可能な導光板と、
端面が前記導光板を介して前記光源に対向するように、表面側へ凸状に湾曲する湾曲面の裏面に気泡を模した多数の凹部を形成し、前記端面から導入された前記光源の光により前記凹部を部分発光させることが可能な液体を模した透光性レンズと、
前記透光性レンズの湾曲面に対向し前記透光性レンズ及び前記導光板を覆うように配置され、液体入り容器を模した透明カバーとを備えたことを特徴とする液体入り容器を模した装飾体。
【請求項２】
前記透明カバーは、前記導光板及び前記透光性レンズの上部を包囲する円筒状の上部透明カバーと、前記透光性レンズの湾曲面を覆う横断面半円筒状の下部透明カバーとを含むことを特徴とする請求項１記載の液体入り容器を模した装飾体。
【請求項３】
前記透光性レンズは、前記上部透明カバー内にあって、液体の表面を模した蓋部を有することを特徴とする請求項２記載の液体入り容器を模した装飾体。
【請求項４】
前記透光性レンズは、前記多数の凹部を形成し前記導光板の表面に対向する内側透光性レンズと、当該内側透光性レンズと別体であって、前記多数の凹部を形成し前記下部カバーの裏面に対向する外側透光性レンズとを含み、
前記内側透光性レンズに、前記蓋部を形成したことを特徴とする請求項３記載の液体入り容器を模した装飾体。
【請求項５】
前記外側透光性レンズの端面は、前記導光板を介して前記複数の光源のうち第１光源に対向し、前記内側透光性レンズの端面は、前記導光板を介して前記複数の光源のうち第２光源に対向し、前記導光板は、前記第２光源に対向するように突出する前記凸部を有し、
前記第１光源は、前記外側透光性レンズの端面から導入して前記外側透光性レンズの凹部を部分発光させ、
前記第２光源は、前記内側透光性レンズの端面から導入して前記内側透光性レンズの凹部を部分発光させると共に、前記導光板の前記凸部から導入して前記導光板の面を面発光させることを特徴とする請求項４記載の液体入り容器を模した装飾体。
【請求項６】
請求項１〜５のいずれか１項に記載の液体入り容器を模した装飾体を備えたことを特徴とする遊技機。
【発明の詳細な説明】
【技術分野】
【０００１】
本発明は、遊技者の視覚に訴える演出効果を高める液体入り容器を模した装飾体およびそれを備えた遊技機に関する。
【背景技術】
【０００２】
従来、特にパチンコ機等の遊技機において、遊技盤の前面に設けられた遊技領域に、液体を収容するための収容空間を有する光透過性部材を配置し、当該光透過性部材に液体を封入するとともに、当該光透過性部材に設けたフィンから気泡を液体に放出するようにした遊技機が提案されている(例えば、特許文献１参照)。
また、遊技盤の前面に、表面及び裏面に複数の凹部が形成された気泡模様表示プレートを有する気泡表示演出装置を配置し、気泡を表現し得る遊技機が提案されている(例えば、特許文献２参照)。
【先行技術文献】
【特許文献】
【０００３】
【特許文献１】特開２００５−１７７３２４号公報
【特許文献２】特開２００８−０２９７２０号公報
【発明の概要】
【発明が解決しようとする課題】
【０００４】
しかし、上記特許文献１に記載の遊技機においては、光透過性部材に液体を封入し、光透過性部材内の液体に気泡を発生させることにより、立体的で自然な演出効果を可能とするとともに、演出効果を向上させて、興趣の向上を図ることができる。しかし、光透過性部材に液体を封入することによる液体の密閉、及び取り扱いが難しく、また一定の態様を表現することはできない。
【０００５】
特許文献２に記載の遊技機においては、同じ位置に同じ形状の凹部を気泡模様表示プレートに形成することにより、取り扱いが容易であるとともに、気泡の態様を一定にすることができ、量産化が容易となる。しかし、その反面、気泡が一様であり奥行き感がなく、自然な気泡の表現をすることはできない。
【０００６】
本発明は、かかる課題に鑑みなされたものであって、奥行き感のある気泡を表現して演出効果を高める液体入り容器を模した装飾体およびそれを備えた遊技機を提供することを目的とする。
【課題を解決するための手段】
【０００７】
本発明によると、上記課題は、次のようにして解決される。
第1の発明は、表面に複数の光源を配置した光源基板と、前記光源基板の表面に対向する裏面に前記光源に向けて突出する凸部を有し、当該凸部から導入された前記光源の光により表面を面発光させることが可能な導光板と、端面が前記導光板を介して前記光源に対向するように、表面側へ凸状に湾曲する湾曲面の裏面に気泡を模した多数の凹部を形成し、前記端面から導入された前記光源の光により前記凹部を部分発光させることが可能な液体を模した透光性レンズと、前記透光性レンズの湾曲面に対向し前記透光性レンズ及び前記導光板を覆うように配置され、液体入り容器を模した透明カバーとを備える。
【０００８】
第２の発明は、第１の発明において、前記透明カバーは、前記導光板及び前記透光性レンズの上部を包囲する円筒状の上部透明カバーと、前記透光性レンズの湾曲面を覆う横断面半円筒状の下部透明カバーとを含む。
【０００９】
第３の発明は、第２の発明において、前記透光性レンズは、前記上部透明カバー内にあって、液体の表面を模した蓋部を有する。
【００１０】
第４の発明は、第３の発明において、前記透光性レンズは、前記多数の凹部を形成し前記導光板の表面に対向する内側透光性レンズと、当該内側透光性レンズと別体であって、前記多数の凹部を形成し前記下部カバーの裏面に対向する外側透光性レンズとを含み、前記内側透光性レンズに、前記蓋部を形成する。
【００１１】
第５の発明は、第４の発明において、前記外側透光性レンズの端面は、前記導光板を介して前記複数の光源のうち第１光源に対向し、前記内側透光性レンズの端面は、前記導光板を介して前記複数の光源のうち第２光源に対向し、前記導光板は、前記第２光源に対向するように突出する前記凸部を有し、前記第１光源は、前記外側透光性レンズの端面から導入して前記外側透光性レンズの凹部を部分発光させ、前記第２光源は、前記内側透光性レンズの端面から導入して前記内側透光性レンズの凹部を部分発光させると共に、前記導光板の前記凸部から導入して前記導光板の面を面発光させる。
【００１２】
第６の発明は、第１〜５のいずれかの発明において、液体入り容器を模した装飾体を備える。
【発明の効果】
【００１３】
本発明によると、液体入り容器を模した透明カバー内に装飾体において、奥行き感のある気泡を表現することができ、遊技者の視覚に訴える演出効果を高めることができる。
【図面の簡単な説明】
【００１４】
【図１】本発明に係る遊技機のガラス扉が開放状態となった正面図である。
【図２】同じく遊技機における遊技盤ユニットの正面図である。
【図３】同じく遊技機ユニットにおける遊技盤に設けた液体入り容器を模した装飾体の分解前方斜視図である。
【図４】同じく液体入り容器を模した装飾体の斜視図である。
【図５】同じく液体入り容器を模した装飾体の正面図である。
【図６】同じく図5におけるＶＩ−ＶＩ線端面図である。
【図７】同じく図5におけるＶＩＩ−ＶＩＩ線端面図である。
【図８】同じく第２光源の光の経路を説明するための要部の端面図である。
【図９】同じく第１光源の光の経路を説明するための要部の端面図である。
【発明を実施するための形態】
【００１５】
以下、本発明の一実施形態を、図面に基づいて説明する。
以下、図１〜図９を参照し、発明の実施形態を通じて本発明を詳説するが、以下の実施形態は特許請求の範囲に係る発明を限定するものではなく、実施形態の中で説明される特徴の組み合わせの全てが発明の解決手段に必須であるとは限らない。
なお、以下の説明において遊技機の各部の左右方向は、その遊技機に対面する者にとっての左右方向に合わせて説明する。即ち、遊技機の正面から説明する場合は、遊技機の正面に対面する者（例えば、遊技者）の視点を基準とし、遊技機の背面から説明する場合は、遊技機の背面に対面する者の視点を基準とする。また、正面を前面ともいい、背面を後面ともいう。
【００１６】
図１に示すように、遊技機１は、遊技場の島設備に設置される縦長方形状の機枠２と、この機枠２に開き戸状に開閉自在に取り付けられた本体枠３と、当該本体枠３の内側に装着され盤面が透明な遊技盤１０と、本体枠３の前面に開き戸状に開閉自在に取り付けられ、遊技盤１０に設けられた後述する遊技領域１１を視認させるよう中央に大きくガラス窓４ａが設けられたガラス扉４と、本体枠３の下側に開閉自在に設けられ、遊技球を貯留する受皿６を有する前面ボード５と、本体枠３内の下部に配設され遊技球を発射するための発射装置（図示省略）と、前面ボード５に回転可能に取り付けられ、遊技者の回転操作に基づいて内部に設けられた発射装置から遊技球を発射させるためのハンドル７と、前面ボード５の下方に設けられ、遊技の状況に応じた効果音を出力するスピーカ８と、ガラス扉４の左右両側にそれぞれ設けられ、遊技の状況に応じて点灯、消灯及び点滅する照明演出を行う照明装置（図示省略）とを備える。
【００１７】
図１、２に示すように、遊技盤１０は、アクリル樹脂等の透明な合成樹脂板により正面視ほぼ方形に形成されると共に、前面には、内外のガイドレール１２、１２によって包囲される円形（楕円形を含む）の遊技領域１１が形成される。受皿６に貯留される遊技球は、ハンドル７が回転操作されると、発射装置から発射されて、内外のガイドレール１２、１２により図２に示す矢印Ｘ方向へ誘導されて、遊技領域１１の左上部から遊技領域１１内に打ち込まれて流下する。
【００１８】
遊技盤１０の遊技領域１１には、そのほぼ中央部に正面視で枠状の装飾枠１３が設けられる。当該装飾枠１３により囲まれる内側には、遊技盤１０の後側に配置される演出表示装置（図示省略）の表示画面１４に表示される演出図柄（図示省略）を遊技機１の前方から視認可能とする表示窓１３ａが形成される。なお、遊技盤１０における表示窓１３ａ以外の領域は、遊技盤１０の前側から遊技機１の内部構造が見えないように、模様、彩色等が施される。
【００１９】
装飾枠１３における表示窓１３ａの右内縁部である表示画面１４の右側には、液体入り容器を模した装飾体であるシャンパングラスオブジェ３０が設けられる。このシャンパングラスオブジェ３０については、後で詳細に説明する。
【００２０】
さらに、遊技領域１１には、遊技領域１１に打ち込まれた遊技球の流下方向を変化させる図示略の多数の釘及び風車１５と、表示窓１３ａの下方にあって、遊技領域１１を流下する遊技球のうち装飾枠１３の左側部に設けられたワープ孔１３ｂに進入したワープ球（遊技球）を導入して左右及び前後方向へ転動可能とするステージ１６と、当該ステージ１６の下方にあって、遊技領域１１を流下する遊技球及びステージ１６から落下したワープ球が入賞可能な始動入賞口１７と、遊技者にとって相対的に不利な第１状態（遊技球が入賞不能な閉鎖状態）と遊技者にとって相対的に有利な第２状態（遊技球が入賞可能な開放状態）とに変化可能な開閉板を有する大入賞装置１８と、遊技領域１１の右領域を流下する遊技球が通過可能なスルーチャッカ１９と、遊技領域１１を流下する遊技球が入賞可能な複数の一般入賞口２０と、遊技状態が特定の遊技状態に移行した場合のみ、遊技領域１１の右領域を流下する遊技球が入賞し得るように開放可能な特別入賞装置２１と、遊技領域１１に打ち込まれた遊技球のうち始動入賞口１７、大入賞装置１８及び特別入賞装置２１等の入賞口に入賞しなかったアウト球を遊技盤１０の裏面側に排出するアウト口２２等が設けられる。
【００２１】
受皿６に貯留されている遊技球が発射装置により発射され、遊技領域１１に打ち込まれた遊技球が始動入賞口１７に入賞すると、これを契機に、遊技機１の裏側に設けられる制御装置（図示省略）により実行される抽選の結果、所定の変動パターンに基づいて、表示画面１４に演出図柄を所定の演出態様で表示する視覚演出を所定時間行った後、演出図柄が特定の組合せで停止表示して確定表示した場合には、大当り状態を生起させ、大入賞装置１８を第１状態から第２状態に変化させる。
【００２２】
大入賞装置１８は、遊技が大当り遊技状態となって第２状態に変化すると、前面に設けた開閉板が開放し、大入賞装置１８内に遊技球が１０個入賞するか、または開閉板が開放してから３０秒が経過すると、開閉板は閉鎖する。また開放している最中、大入賞装置１８内に設けた図示略の特定領域センサが、大入賞装置１８内に入賞した遊技球のいずれかが特定領域の通過を検出した場合には、開閉板が閉鎖後に再度開放する。これを最大１５回まで繰返し可能に設定してある。これにより、大当り遊技状態のときには、第２状態にある大入賞装置１８に多数の遊技球が入賞可能となり、遊技機１の裏側に設けた賞球払出装置（図示省略）から賞球として大量の遊技球が短時間に受皿６に払い出される。
【００２３】
次に、本発明の要部となる液体入り容器を模した装飾体であるシャンパングラスオブジェ３０について説明する。
なお、本発明に係るシャンパングラスオブジェ３０は、遊技機（弾球遊技機またはパチンコ機）に設ける用途のみならず、装飾用として単体でも実施可能である。
【００２４】
図３に示すように、シャンパングラスオブジェ３０は、外形を形成する上、下部透明カバー３１、３２と、当該下部透明カバー３２の後側に配置される第１透光性レンズ３３と、当該第１透光性レンズ３３の後側に配置される第２透光性レンズ３４と、当該第２透光性レンズ３４の後側に配置される第３透光性レンズ３５と、当該第３透光性レンズ３５の後側に配置される拡散シート３６と、当該拡散シート３６を前面に貼付する導光板３７と、当該導光板３７の下部に固定される光源カバー部材３８と、導光板３７の後側に配置され、複数の第１、２光源４０、４１及び単一の第３光源４２を実装した光源基板３９とを含んで構成される。なお、上、下部透明カバー３１、３２、第１透光性レンズ３３、第２透光性レンズ３４、第３透光性レンズ３５及び導光板３７は、透明アクリル樹脂により成形される。また、光学的視覚効果上の理由から、上、下部透明カバー３１、３２、第１透光性レンズ３３、第２透光性レンズ３４、第３透光性レンズ３５及び導光板３７を透明アクリル樹脂で成型しているが、その一部または全部、特に上、下部透明カバー３１、３２及び導光板３７を、透明アクリル樹脂に特定せず、例えば代わりにポリカーボネートで成型しても良い。
【００２５】
上部透明カバー３１は、上方へ向けて外径が漸減する円筒状をなすことで液体入り容器の上部を形成し、右側下部には、遊技盤１０に固定された装飾枠１３にねじ（図示省略）により固定される耳片３１ａが一体的に形成されている。
【００２６】
下部透明カバー３２は、第１透光性レンズ３３の表面に対向する裏面が凹状で表面が凸状に湾曲した湾曲面３２ａを形成する半円筒状をなし、波形形状の上端縁３２ｂが上部透明カバー３１における波形形状の下端縁３１ｂに嵌り合うことで、遊技者側から見て恰もシャンパングラスであるかのような立体感を醸し出す。なお、上部透明カバー３１の下端縁３１ｂ及び下部透明カバー３２の上端縁３２ｂ付近には、互いの境目が目立たなくなるように模様が施される。
【００２７】
下部透明カバー３２の裏面上部には、下部透明カバー３２に対する第１、２、３透光性レンズ３３、３４、３５の位置決め機能を有する後方へ突出するボス部３２ｃが設けられ、また同じく側部には、装飾枠１３に固定される上下の耳片３２ｅ、３２ｆが設けられている。
【００２８】
さらに、下部透明カバー３２の下部(シャンパングラスでいうところの脚の部分)には、導光板３７の接続溝３７ｇに嵌合することにより、導光板３７の位置決めを行う後方を向く円筒状のボス部３２ｄが設けられている。
【００２９】
第１透光性レンズ３３は、第２透光性レンズ３４の表面に対向する裏面が凹状で、下部透明カバー３２の裏面に対向する表面が凸状に湾曲した湾曲面を形成すると共に、当該湾曲面の裏面に多数の気泡を模した凹部３３ａを形成することにより、シャンパングラス内の液体及びその気泡を表現する。第１透光性レンズ３３の左側には、下部透明カバー３２のボス部３２ｃに係合するＵ字状の切欠部３３ｂが設けられ、同じく右側裏面には、成型時のゲートを配置するフラット面として、裏面側に突出するように嵌合凸部３３ｃが設けられている。
【００３０】
第１透光性レンズ３３の上端縁３３ｄは、液体が波立ったような形態を模すように傾き、かつその表面は上部透明カバー３１の内周面に接触している。また、第１透光性レンズ３３の後ろ向きの端面３３ｅは、図６〜９に示すように、上、下部透明カバー３１、３２の内側にあって、拡散シート３６及び導光板３７を介して、第１光源４０に対向する。
【００３１】
第２透光性レンズ３４は、第１透光性レンズ３３の裏面に合致する前向き凸状に湾曲した湾曲面を形成すると共に、当該湾曲面の裏面に多数の気泡を模した凹部３４ａを形成することにより、第１透光性レンズ３３と共にシャンパングラス内の液体及びその気泡を模した形態としている。第２透光性レンズ３４の左側部には、下部透明カバー３２のボス部３２ｃに係合するＵ字形の切欠部３４ｂが設けられ、同じく右側部には、成型時のゲートを配置するフラット面として、裏面側に突出するように嵌合凹部３４ｃが設けられている。
【００３２】
また、第２透光性レンズ３４の上端縁３４ｄは、液体が波立ったような形態を模すように傾き、かつ第１透光性レンズ３３の上端縁３３ｄに対して組付け状態において段差が生じないように連なる。また、第２透光性レンズ３４の後ろ向きの端面３４ｅは、図６〜９に示すように、第１透光性レンズ３３の内側にあって、拡散シート３６及び導光板３７を介して、第１光源４０に対向する。
【００３３】
第３透光性レンズ３５は、表面に前向き凸状に湾曲した湾曲面を形成すると共に、当該湾曲面の裏面に多数の気泡を模した凹部３５ａを形成することにより、第１、２透光性レンズ３３、３４と共に奥行き感があって立体的なシャンパングラス内の液体及びその気泡を模すことができる。第３透光性レンズ３５の左側部には、下部透明カバー３２のボス部３２ｃに係合するＵ字形の切欠部３５ｂが設けられ、同じく右側部には、成型時のゲートを配置するフラット面として、切欠部３５ｇが設けられている。なお、図６、７に明示されるように、第３透光性レンズ３５の表面である湾曲面と第２透光性レンズ３４の裏面との間には、隙間が形成される。これにより、第３透光性レンズ３５の凹部３５ａは、より立体的な気泡を表現することができる。また、第３透光性レンズ３５の後ろ向きの端面３５ｆは、図６〜９に示すように、第２透光性レンズ３４の内側にあって、拡散シート３６及び導光板３７を介して、第２光源４１に対向する。
【００３４】
また、第３透光性レンズ３５の上部には、上面が波状の蓋部３５ｃが形成される。蓋部３５ｃは、前縁が第２透光性レンズ３４の上端縁３４ｄに対して段差が生じないように連なり、後縁が上部透明カバー３１の内周面に隙間無く接触することで、シャンパングラス内の液体の表面が泡だった形態を表現している。第３透光性レンズ３５の裏面下部には、拡散シート３６に設けられる係合孔３６ａ、及び導光板３７に設けられる係合孔(図示省略)と係合することにより、拡散シート３６及び導光板３７の位置決めを行う後ろ向きボス部３５ｄと、ハート型の光源カバー３８が後側から嵌合するハート型の嵌合孔３５ｅが設けられている。
【００３５】
第１、２透光性レンズ３３、３４を淡い黄色、第３透光性レンズ３５を淡いピンクにそれぞれ着色することで、それらの光学的な混色およびレンズの素材などによる視覚効果によって、より奥行き感があって立体的な液体を表現可能である。さらに、第１、２透光性レンズ３３、３４の上端縁３３ｄ、３４ｄ及び第３透光性レンズ３５の蓋部３５ｃを互いに段差がないように連ねることで、液体の表面を表現することが可能となる。さらには、第３透光性レンズ３５の蓋部３５ｃは、液体の泡を模したほぼ円形状の波状面を有し、ある程度の厚さを有することで、後述する複数の光源４０、４１の光が当たった際、光の屈折でグラデーションが起こり自然な液体の揺らぎを表現することができる。
【００３６】
拡散シート３６は、導光板３７の表面に貼付されることにより、複数の光源４０、４１の光を拡散させ、淡くシャンパングラスオブジェ３０の全体を光らせることによりシャンパングラスに注がれた液体が光る様を表現する。
【００３７】
導光板３７は、拡散シート３６を介して第３透光性レンズ３５の裏面に対向するように、複数のねじ５１により上、下部透明カバー３１、３２に固定されると共に、図６〜９に明示するように、光源基板３９の表面に対向する裏面のほぼ全体には、成型金型あるいはエンボス加工等により多数の凹部３７ａが形成され、光源４０、４１に向けて突出する部位には複数の外、内側凸部３７ｂ、３７ｃが形成され、また内側凸部３７ｃの反対側の表面には直角三角形の溝部３７ｄが形成される。光源４１の光は、内側凸部３７ｃから導入されることにより多数の凹部３７ａが形成された導光板３７の面を面発光させる。また、導光板３７の表面側には、拡散シート３６が配置されるため、導光板３７により面発光した光はさらに拡散されて第３透光性レンズ３５の裏面側と均一に照らすことが可能となる。
【００３８】
また、導光板３７の上部には、第３透光性レンズ３５の蓋部３５ｃの下側に配置されるほぼ半円形の波状面３７ｅが形成される。波状面３７ｅは、第３透光性レンズ３５の蓋部３５ｃと重なり合うことで、液体の表面をより立体的に表現する。
【００３９】
光源カバー３８は、ハート形状をなして、導光板３７の裏側から導光板３７の下部に設けられたハート型の嵌合孔３７ｆに差し込むことで、第３透光性レンズ３５の下部に設けられたハート型の嵌合孔３５ｅから第３透光性レンズ３５の表面に露呈し、後述する第３光源４２からの光を拡散することで、下部透明カバー３２の後方で赤く着色された表面が明るく光る。
【００４０】
光源基板３９は、複数のねじ５３により導光板３７の裏面に固定されると共に、導光板３７の裏面に対向する表面に、導光板３７の外側凸部３７ｂに対向する複数の第１光源４０と、内側凸部３７ｃに対向する複数の第２光源４１と、光源カバー３８に対向する第３光源４２とを実装する。
【００４１】
次に、発光した第１、２光源４０、４１の光の進路について図５、８、９に基づいて説明すると共に、シャンパングラスオブジェ３０がどのように発光するかを説明する。図５は、シャンパングラスオブジェ３０の正面図、図８は、第２光源の光の経路を説明するための要部の端面図、図９は、第１光源の光の経路を説明するための要部の端面図を示す。
【００４２】
図８に示すように、導光板３７の内側凸部３７ｃに対向する第２光源４１が発光した場合、第２光源４１の入射光のうち、内側凸部３７ｃから導光板３７に設けた溝部３７ｄのほぼ４５度の傾斜面３７１ｄに向けて入射した入射光Ａは、傾斜面３７１ｄにより反射されて図８において左方、すなわち導光板３７の面に沿って進み、導光板３７の裏面に設けた複数の凹部３７ａにより乱反射される。この結果、当該乱反射された乱反射光Ｂによって、導光板３７の表面が面発光する。当該面発光の光は、拡散シート３６によりさらに拡散され、第３透光性レンズ３５の裏面側を淡く照らす。
【００４３】
さらに、第２光源４１の入射光のうち、溝部３７ｄよりも右側、すなわち外側に入射した入射光Ｃは、そのまま導光板３７内を直進し、第３透光性レンズ３５の端面３５ｆから第３透光性レンズ３５内に導入される。第３透光性レンズ３５内に導入した導入光Ｄは、第３透光性レンズ３５の裏面に設けた複数の凹部３５ａにより乱反射することで複数の凹部３５ａを発光させる。これにより、第３透光性レンズ３５に設けた凹部３５ａは、恰も液体内の気泡のように見える。
【００４４】
上述により、第２光源４１は、導光板３７を面発光させると同時に、第３透光性レンズ３５の凹部３５ａを部分発光させることができる。
【００４５】
また、図９に示すように、導光板３７の外側凸部３７ｂに対向する第１光源４０が発光した場合、第１光源４０の光Ｅは、導光板３７内を直進し、第１透光性レンズ３３の端面３３ｅ及び第２透光性レンズ３４の端面３４ｅから第１透光性レンズ３３及び第２透光性レンズ３４内にそれぞれ導入される。第１透光性レンズ３３内に導入した導入光Ｆは、第１透光性レンズ３３の円弧面に沿って進み第１透光性レンズ３３の裏面に設けた複数の凹部３３ａで乱反射することで複数の凹部３３ａを部分発光させる。また、第２透光性レンズ３４内に導入した導入光Ｇは、第２透光性レンズ３４の円弧面に沿って進み第２透光性レンズ３４の裏面に設けた複数の凹部３４ａで乱反射することで複数の凹部３４ａを部分発光させる。これにより、第１光源４０は、第１、２透光性レンズ３３、３４の凹部３３ａ、３４ａを同時に部分発光させ、第３透光性レンズ３５の凹部３５ａと共に恰も液体内の気泡のように見せることができる。
【００４６】
上述のように、第１，２、３透光性レンズ３３、３４、３５の端面３３ｅ、３４ｅ、３５ｆから導入された第１、２光源４０、４１の光は、各透光性レンズ３３、３４、３５の各凹部３３ａ、３４ａ、３５ａで乱反射して部分発光する。これにより、各凹部３３ａ、３４ａ、３５ａは、上部透明カバー３１及び下部透明カバー３２内で発光して恰も液体内の気泡であるかのように表現することができる。また、導光板３７に導入された第２光源４１の光は、導光板３７のほぼ全面を面発光させ、この面発光の光は、拡散シート３６で拡散されて淡く光り、これによりシャンパングラスオブジェ3０全体を淡く光らせることができる。
【００４７】
以上、本発明の実施形態について説明したが、本発明の要旨を逸脱しない範囲内で、上記実施形態に対して、次のような変形や変更を施すことが可能である。
（ｉ）上、下部透明カバー３１、３２の内側（後側）に透光性レンズ（第１透光性レンズ３３、第２透光性レンズ３４及び第３透光性レンズ３５）を３層として配置したが、これに代えて、透光性レンズを１層、２層、または３層以上としてもよい。
【符号の説明】
【００４８】
１  遊技機
２  機枠
３  本体枠
４  ガラス扉
４ａ  ガラス窓
５  前面ボード
６  受皿
７  ハンドル
８  スピーカ
１０  遊技盤
１１  遊技領域
１２  ガイドレール
１３  装飾枠
１３ａ  表示窓
１３ｂ  ワープ孔
１４  表示画面
１５  風車
１６  ステージ
１７  始動入賞口
１８  入賞口開閉装置
１９  スルーチャッカ
２０  一般入賞口
２１  特別入賞装置
２２  アウト口
３０  シャンパングラスオブジェ（装飾体）
３１  上部透明カバー
３１ａ  耳片
３１ｂ  下端縁
３２  下部透明カバー
３２ａ  湾曲面
３２ｂ  上端縁
３２ｃ  ボス部
３２ｄ  ボス部
３２ｅ、３２ｆ  耳片
３３  第１透光性レンズ(外側透光性レンズ)
３３ａ  凹部
３３ｂ  切欠部
３３ｃ  嵌合凸部
３３ｄ  上端縁
３３ｅ  端面
３４  第２透光性レンズ
３４ａ  凹部
３４ｂ  切欠部
３４ｃ  嵌合凹部
３４ｄ  上端縁
３４ｅ  端面
３５  第３透光性レンズ(内側透光性レンズ)
３５ａ  凹部
３５ｂ  切欠部
３５ｃ  蓋部
３５ｄ  ボス部
３５ｅ  嵌合孔
３５ｆ  端面
３５ｇ  切欠部
３６  拡散シート
３６ａ  嵌合孔
３７  導光板
３７ａ  凹部
３７ｂ  外側凸部
３７ｃ  内側凸部
３７ｄ  溝部
３７１ｄ  傾斜面
３７ｅ  波状面
３７ｆ  嵌合孔
３７ｇ  接続溝
３８  光源カバー
３９  光源基板
４０  第１光源
４１  第２光源
４２  第３光源
５１  ねじ
５３  ねじ
【図１】
2014217435.tif 000003
【図２】
2014217435.tif 000004
【図３】
2014217435.tif 000005
【図４】
2014217435.tif 000006
【図５】
2014217435.tif 000007
【図６】
2014217435.tif 000008
【図７】
2014217435.tif 000009
【図８】
2014217435.tif 000010
【図９】
2014217435.tif 000011